(57)【要約】【課題】キャップ本体に上蓋がヒンジ連結されたヒンジキャップにおいて、上蓋の開封履歴明示機能が向上したヒンジキャップを提供する。【解決手段】キャップ本体の筒状側壁の外面には、閉じられた上蓋の開封用鍔部が位置する部分に、該開封用鍔部の先端外周部分を覆うような帯状カバー部材が破断可能な弱化線乃至スコアを介して連結されており、上蓋を閉じたときにおいて、該上蓋のスカート部下面とキャップ本体頂板部上面とが相対する部分の側部は、前記帯状カバー部材が設けられている領域及びヒンジ連結部が形成されている領域を除き、キャップ本体の頂板部外周縁もしくは上蓋のスカート部下端の外周縁に設けられた薄肉の突片によってカバーされていることを特徴とする。【選択図】  図３
2004175436.tif 000002
【特許請求の範囲】
【請求項１】
容器口部に固定されるキャップ本体と、該キャップ本体に開閉可能にヒンジ連結された上蓋とからなり、該キャップ本体は、頂板部と頂板部周縁から降下した筒状側壁とを有しており、該上蓋は、天板部と天板部周縁部から降下したスカート部とから形成され、該スカート部の下端部分で前記キャップ本体の頂板部と筒状側壁との接続部分外面にヒンジ連結され且つ該スカート部のヒンジ連結部分とは反対側の下端部分には開封用鍔部が形成されており、さらにキャップ本体の前記頂板部には、上蓋を閉じたときにスカート部の内面部分と係合し得る周状突起を有しているヒンジキャップにおいて、
前記キャップ本体の筒状側壁の外面には、閉じられた上蓋の開封用鍔部が位置する部分に、該開封用鍔部の先端外周部分を覆うような帯状カバー部材が破断可能な弱化線乃至スコアを介して連結されており、
前記上蓋を閉じたときにおいて、該上蓋のスカート部下面とキャップ本体頂板部上面とが相対する部分の外周部は、前記帯状カバー部材が設けられている領域及びヒンジ連結部が形成されている領域を除き、キャップ本体の頂板部外周縁もしくは上蓋のスカート部下端の外周縁に設けられた突片によってカバーされていることを特徴とするヒンジキャップ。
【請求項２】
前記突片が、キャップ本体の頂板部外周縁に設けられている請求項１に記載のヒンジキャップ。
【請求項３】
前記突片が薄肉である請求項１または２に記載のヒンジキャップ。
【請求項４】
前記帯状カバー部材の内面には、閉じられた上蓋の開封用鍔部の先端外周部分と係合する突部が形成されている請求項１に記載のヒンジキャップ。
【発明の詳細な説明】
【０００１】
【発明の属する技術分野】
本発明は、開封履歴証明機能（タンパーエビデント性、以下ＴＥ性と呼ぶことがある）を有するヒンジキャップに関するものであり、より詳細には、容器口部に装着されるキャップ本体に上蓋がヒンジ連結されているヒンジキャップにおいて、上蓋にＴＥ性を持たせたヒンジキャップに関する。
【０００２】
【従来の技術】
容器口部に装着されるキャップ本体に上蓋がヒンジ連結されたヒンジキャップは、例えば各種飲料が充填された容器のキャップとして、種々の用途に使用されている。
各種容器のキャップでは、一般に、いたずら防止や容器内容物の品質保証などのために、開封履歴機能、即ちＴＥ性が要求される。即ち、一般のユーザーにとって、キャップが開封されていないという事実を認識できれば、容器内に異物を混入するなどのいたずらによる被害を回避することができ、いたずら防止につながるばかりか、容器内容物に関して、一定の品質が保証されるからである。
前述したヒンジキャップに関して、上蓋にＴＥ性を持たせたものが知られている（例えば特許文献１参照）。
【０００３】
【特許文献１】
実公平２−２１４０６号公報（第１図、第５図、第６図参照）
【０００４】
上記特許文献１のヒンジキャップは、キャップ本体の筒状側壁外面の上端部分に帯片を設け、且つ上蓋のスカート部下端に設けられている開封用鍔部の下面に突片を設け、上蓋を閉じたときに開封用鍔部の下面に設けられた突片が帯片と筒状側壁外面との間の空間に嵌め込まれて固定されるというものである。即ち、上蓋を開封するためには、帯片を破壊しなければならず、帯片の破壊によって上蓋の開封履歴が認識されるというものである。
【０００５】
【発明が解決しようとする課題】
しかしながら、上記特許文献１のヒンジキャップでは、上蓋の開封用鍔部が外部に露出しているため、開封用鍔部を指で引っ掛けて上方に引っ張り上げると、開封用鍔部下面の突片が帯片と筒状側壁外面との間の空間からすっぽ抜けてしまうという不都合を生じることがあった。また、上蓋のスカート部下面とキャップ本体頂板部上面とが相対している部分の側部が外部に露出しており、この部分に爪やドライバー等を引っ掛けて上蓋を上方に上げることによっても上記のような突片のすっぽ抜けを生じることがあった。このような突片のすっぽ抜けを生じた場合には、再び上蓋を閉じて突片を帯片と筒状側壁外面との間の空間に嵌め込んでしまうと、キャップの外観からは上蓋が一旦開封された事実を認識することが困難となってしまう。このことから理解されるように、特許文献１のヒンジキャップはＴＥ性が不満足であり、ＴＥ性の一層の向上が求められている。
【０００６】
従って本発明の目的は、キャップ本体に上蓋がヒンジ連結されたヒンジキャップにおいて、上蓋の開封履歴明示機能が向上したヒンジキャップを提供することにある。
【０００７】
【課題を解決するための手段】
本発明によれば、容器口部に固定されるキャップ本体と、該キャップ本体に開閉可能にヒンジ連結された上蓋とからなり、該キャップ本体は、頂板部と頂板部周縁から降下した筒状側壁とを有しており、該上蓋は、天板部と天板部周縁部から降下したスカート部とから形成され、該スカート部の下端部分で前記キャップ本体の頂板部と筒状側壁との接続部分外面にヒンジ連結され且つ該スカート部のヒンジ連結部分とは反対側の下端部分には開封用鍔部が形成されており、さらにキャップ本体の前記頂板部には、上蓋を閉じたときにスカート部の内面部分と係合し得る周状突起を有しているヒンジキャップにおいて、
前記キャップ本体の筒状側壁の外面には、閉じられた上蓋の開封用鍔部が位置する部分に、該開封用鍔部の先端外周部分を覆うような帯状カバー部材が破断可能な弱化線乃至スコアを介して連結されており、
前記上蓋を閉じたときにおいて、該上蓋のスカート部下面とキャップ本体頂板部上面とが相対する部分の外周部は、前記帯状カバー部材が設けられている領域及びヒンジ連結部が形成されている領域を除き、キャップ本体の頂板部外周縁もしくは上蓋のスカート部下端の外周縁に設けられた突片によってカバーされていることを特徴とするヒンジキャップが提供される。
【０００８】
即ち、本発明のヒンジキャップにおいては、閉じられた上蓋の開封用鍔部の先端外周部分は、キャップ本体に設けられている帯状カバー部材によって覆われている。従って、この開封用鍔部を利用しての上蓋の開封は、前記弱化線乃至スコアを破断して帯状カバー部材を引き剥がした後でなければ行うことができない。さらに、上蓋のスカート部下面とキャップ本体頂板部上面とが相対している部分の該周縁部は、帯状カバー部材が設けられている領域及びヒンジ連結部が形成されている領域を除き、突片によってカバーされ、外部に露出していない。従って、この部分に爪やドライバーなどの工具を引っ掛けて上蓋を開栓することもできない。無理やり開栓する場合には、突片の少なくとも一部を破壊しなければならず、そうすれば、上蓋の開栓の事実を容易に認識することができる。
従って本発明のヒンジキャップは、優れたＴＥ性を有しているのである。
【０００９】
【発明の実施の形態】
本発明を、以下、添付図面に基づいて詳細に説明する。
図１は、本発明のヒンジキャップの上蓋を閉じた状態での側断面図であり、
図２は、図１のヒンジキャップにおける上蓋を開栓した状態での上面図であり、
図３は、図１のヒンジキャップの正面図であり、
図４は図１のヒンジキャップの側面図であり、
図５は、図１のヒンジキャップにおいて帯状カバー部材を引き剥がした後の側断面図であり、
図６は、図１のヒンジキャップにおける要部側断面の一例を示す図であり、
図７は、図１のヒンジキャップにおける要部側断面の他の例を示す図である。
【００１０】
図１乃至図４（特に図１及び２）を参照して、本発明のヒンジキャップは、キャップ本体１と上蓋２とから成る。
キャップ本体１は、大まかに言って、頂板部５と、頂板部５の周縁部から垂下している筒状側壁６とから成っている。
【００１１】
頂板部５の内面には、筒状側壁６とは間隔を置いて下方に延びているインナーリング９が形成されている。即ち、このインナーリング９と筒状側壁６との間の空間に、８０で示す容器口部が嵌め込まれてキャップ本体１は、容器口部８０に装着される。
また頂板部５には、注出用開口を形成するための弱化線１０が形成されており、頂板部５の上面側には、弱化線破断用のプルリング１２が支柱を介して設けられている。即ち、このプルリング１２を引っ張ることにより、弱化線１０が破断し、内容物を注ぎ出すための開口が頂板部５に形成されるようになっている。
頂板部５の上面側には、弱化線１０を取り囲む様にして、注出液案内用の筒状突起１４が形成されており、注出用開口を介して注ぎ出された内容物は、この筒状突起１４に沿って案内される。この筒状突起１４は、図１から明らかな通り、上蓋２を閉じるときに上蓋２の旋回を妨害しないように、後述する上蓋２とキャップ本体１とのヒンジ連結部２５側が背の低いものとなっている。
また、この筒状突起１４の外側部分には、上蓋２を保持するための周状突起１６が形成されている。
【００１２】
また、キャップ本体１の筒状側壁６の一部は、上端から下方に延びている弧状スリット２０により、内側壁６ａと外側壁６ｂとに分断されており、内側壁６ａと外側壁６ｂとが下端で連なった二重壁構造が形成されている。このような二重壁構造は、容器内容液注出後のキャップ本体１を容器口部８０から容易に除去するために形成されているものである。
【００１３】
一方、上蓋２は、キャップ本体１の筒状側壁６（特にスリット２０によって形成されている外側壁６ｂ）の上端部分にヒンジ連結されている。このヒンジ連結部は２５で示され、図２から理解されるように、中央の幅広のバンド部２５ａと、その周方向両側部に小幅のバンド部２５ｂ，２５ｂから形成されている。
さらに、上記ヒンジ連結部２５の近傍には、外側壁６ｂに、その上端から下端乃至その近傍に延びている軸方向スコア３０，３０が形成され、更に、軸方向スコア３０，３０と対応する内側壁６ａに下端から上方に延びている内側スコア（図示せず）が形成されている（図２、図４参照）。即ち、上蓋２を開栓した状態で下方に引き下ろすことにより、上記スコア３０，３０が引裂かれ、外側壁６ｂが破断し、次に上方に引き上げることにより内側壁の軸方向スコアが破断するため、キャップ本体１を容器口部８０から容易に取り除くことができるようになっている。
【００１４】
上蓋２は、天板部３２と、天板部３２の周縁から延びているスカート３４とから形成されている。
天板部３２の内面には、シール用の周状突起３６と、破断防止用の弧状突起３８とが形成されている。即ち、上蓋２を旋回して閉じたとき、シール用の周状突起３６が注出液案内用の筒状突起１４の内面に密着し、この密着により、弱化線１０を破断しての注出用開口形成後のシール性が確保される。また、偶発的に上部から外力が作用した場合、弧状突起３８が頂板部５の上面に当接し、これによって、周状突起３６が頂板部５やプルリング１２の支柱を押圧して弱化線１０を破断することを有効に防止できる。
【００１５】
また、上蓋２のスカート３４の内面下方部分には、凹部３４ａが形成されており、前述した周状突起１６の上端の突部１６ａが、この凹部３４ａと係合することにより、閉じられた上蓋２が安定に保持されるようになっている。
さらに、上蓋２のスカート下端の外面には、ヒンジ連結部２５とは反対側部分に、開封用の鍔部４０が設けられており、この鍔部４０の下面には、滑り止め用の偏平状突部４２が形成されている。即ち、この鍔部４０を指で引っ掛けて上蓋２を上方に持ち上げることにより上蓋２の開封を容易に行うことができる。
【００１６】
本発明において、キャップ本体１の筒状側壁６の外面には、上蓋２を閉じたときに上記の鍔部４０が位置する部分に、滑らかな凹面４５が形成されており、さらにこの凹面４５を取り囲むようにして帯状カバー部材４７が、弱化線乃至スコア４８を介して、筒状側壁６の外面に接続されている。即ち、図３から明らかな通り、この帯状カバー部材４７は、その両サイド及び底辺部において弱化線乃至スコア４８を介して筒状側壁６の外面に接続されている。
【００１７】
また、図１から明らかな通り、帯状カバー部材４７の上部には、外方に張り出し且つ筒状側壁６の上端（頂板部５の上面周縁部に相当）よりも高い位置まで延びている張出部４７ａが形成されており、この張出部４７ａの内面には、鍔収容用の凹部４７ｂが形成されており、閉じられた上蓋２の開封用鍔部４０は、この凹部４７ｂ内に収容される。従って、上蓋２の開封用鍔部４０の先端外周部分は、帯状カバー部材４７によって完全に覆われており、また開封用鍔部４０の下面も外部から完全に遮断された状態で保持されている。
【００１８】
上記のような帯状カバー部材４７が設けられている本発明のヒンジキャップでは、開封用鍔部４０を利用しての上蓋２の開封は、帯状カバー部材４７を取り除いた後でなければ行うことができない。即ち、前述した弱化線乃至スコア４８を引裂いて帯状カバー部材４７を引き剥がし、図５に示すように、開封用鍔部４０が外部に露出した状態とし、凹面４５の側から指等を鍔部４０に引っ掛けて上蓋２を持ち上げることによって、上蓋２の開封が行われる。
【００１９】
本発明において、弱化線乃至スコア４８を引裂いての帯状カバー部材４７の引き剥がしを容易に行うために、張出部４７ａの上部には突片４７ｃを設けておくことが好ましい。即ち、この突片４７ｃを指で引っ掛けて張出部４７ａを捲りおろしていくことにより、両サイドの弱化線乃至スコア４８が容易に引裂かれ、次いで帯状カバー部材４７を周方向に捲っていくことにより、弱化線乃至スコア４８が完全に引裂かれ、この帯状カバー部材４７を引き剥がすことができる。
【００２０】
また開封用鍔部４０を凹部４７ｂ内にしっかりと収容保持するために、張出部４７ａの内面の上方には係止用突部４７ｄを設けておくことが好適である。
【００２１】
さらに本発明においては、図２に示されているように、上述した帯状カバー部材４７及びヒンジ連結部２５が形成されている領域を除き、サイドカバー５０が形成されている。
【００２２】
このサイドカバー５０が形成されている部分を拡大して示す図６を参照されたい。図６に示されているように、このサイドカバー５０は、キャップ本体１の頂板部５の外周縁に形成されている突片からなっている。即ち、上蓋２のスカート３４の下面とキャップ本体１の頂板部５の上面とが相対している部分の外周部は、上記突片からなるサイドカバー５０によって完全に覆われ、外部から遮断されている。従って、上蓋２の下面に爪やドライバーなどを差し込んで無理やり上蓋２を開封することは、サイドカバー５０により、有効に防止される。更に、このサイドカバー５０を形成している突片が薄肉のものである場合には、無理やり上蓋２を開封したとすれば、サイドカバー５０の破損を伴うことになり、ユーザーはその事実を容易に認識することができる。
即ち、上記のサイドカバー５０はＴＥ性を補強するものであり、これにより、ＴＥ性の向上がもたらされる。
【００２３】
また図６は、サイドカバー５０をキャップ本体１側に設けた例であるが、このサイドカバー５０を上蓋２側に設けることもできる。即ち、サイドカバー５０の他の例を示す図７において、この例では、サイドカバー５０は、上蓋２のスカート３４下端の外周縁に設けられた突片から形成されている。この場合には、この突片は薄肉であるのが特に好ましい。このような上蓋２側に設けられたサイドカバー５０によっても、上蓋２とキャップ本体１とが相対している部分に爪やドライバーなどを差し込んでサイドカバー５０の破損を伴うことなく上蓋２を開封することが有効に防止でき、上記と同様、ＴＥ性の向上がもたらされる。
【００２４】
上述した本発明のヒンジキャップは、各種のプラスチック、例えば、低−、中−または高密度ポリエチレン、線状低密度ポリエチレン、ポリプロピレン、熱可塑性ポリエステル、ポリアミド、スチレン系樹脂、ΑΒＳ樹脂等を用いての射出成形等の一体成形により、容易に製造することができる。即ち、これらのプラスチックにより上蓋２が開封された状態で成形され、成形後、上蓋２を閉じることにより、本発明のヒンジキャップを製造することができる。
【００２５】
【発明の効果】
本発明によれば、キャップ本体１に設けられている帯状カバー部材によって、閉じられた上蓋の開封用鍔部が外部から遮断され、且つ閉じられている上蓋とキャップ本体とが相対している部分も突片からなるサイドカバーにより外部から遮断されているため、ＴＥ性が顕著に向上にしている。
【図面の簡単な説明】
【図１】本発明のヒンジキャップの上蓋を閉じた状態での側断面図。
【図２】図１のヒンジキャップにおける上蓋を開栓した状態での上面図。
【図３】図１のヒンジキャップの正面図。
【図４】図１のヒンジキャップの側面図。
【図５】図１のヒンジキャップにおいて帯状カバー部材を引き剥がした後の側断面図。
【図６】図１のヒンジキャップにおける要部側断面の一例を示す図。
【図７】図１のヒンジキャップにおける要部側断面の他の例を示す図。
【符号の説明】
１：キャップ本体                ２：上蓋
５：頂板部                      ６：筒状側壁
２５：ヒンジ連結部              ３４：スカート
４０：開封用鍔部                ４７：帯状カバー部材
４７ａ：張出部                  ４７ｂ：鍔収容用の凹部
４７ｃ：突片                    ４７ｄ：係止用突部
４８：弱化線乃至スコア          ５０：サイドカバー
【図１】
2004175436.tif 000003
【図２】
2004175436.tif 000004
【図３】
2004175436.tif 000005
【図４】
2004175436.tif 000006
【図５】
2004175436.tif 000007
【図６】
2004175436.tif 000008
【図７】
2004175436.tif 000009